(57)【要約】【課題】携帯電話や無線装置及びパソコンで当籤調べをすることができる当籤調べ装置を提供する。【解決手段】データ信号を送信を送信するユーザ端末と、ユーザ端末のデータ信号内容を受信して判別する中央処理センターモジュールと、ユーザ端末に対応し、当該暗号化画像ファイルを復号化してとする文字や図柄を析出する復号化ユニットとが含有され、そして、携帯電話や無線装置或いはコンピュータを使用する時、必要に応じて、更に、中央処理センターモジュールにより判別されたデータ信号内容に従って、必要とする暗号化画像ファイルをユーザ端末へ送信するファイル権利管理モジュールが設けられても良い。これにより、ユーザーが、携帯電話或いはパソコンで当籤調べを行うことができるため、秘密性と興味性がある。【選択図】図１
0003126326.tif 000002
【実用新案登録請求の範囲】
【請求項１】
データ信号を送信するユーザ端末と、
上記のユーザ端末のデータ信号内容を受信して判別し、データのタイプを決める中央処理センターモジュールと、
上記の中央処理センターモジュールが判別したデータ信号内容に従って、必要とする暗号化画像ファイルを、ユーザ端末へ送信するファイル権利管理モジュールと、
ユーザ端末に対応して、当該暗号化画像ファイルを復号化して、必要とする文字や図柄を取得する復号化ユニットと、
が含有される、
ことを特徴とする当籤調べ装置。
【請求項２】
当該ユーザ端末は、データ信号を中央処理センターモジュールへ送信するための携帯電話と、携帯電話に付属音声サービスシステムとを示すことを特徴とする請求項１に記載の当籤調べ装置。
【請求項３】
当該中央処理センターモジュールは、復号化シート方式である場合、まず、暗号化画像ファイルを、復号化ユニットに作成し、暗号化画像ファイルをマッピングする原色を、ユーザ端末へ送信し、ユーザ端末により、当該復号化ユニット上の対応する暗号化画像ファイルを復号化し、必要とする文字や図柄を取得することを特徴とする請求項１に記載の当籤調べ装置。
【考案の詳細な説明】
【技術分野】
【０００１】
本考案は、当籤調べ装置に関し、特に、ユーザーが携帯電話やパソコンでゲームカードによる当籤調べを行い、秘密性と興味性があるものに関する。
【背景技術】
【０００２】
一般の隠し画像は、文字、数字、図柄、商標、絵、写真、陳述、マーク、メッセージ、仕様或いは他の記号である。例えば、ゲームカードに隠し画像が含有され、そして、当該隠し画像が表示される場合、当該隠し画像が、総当籤金にある所定の賞名であってもいいし、予めに設定した「賞」番号と一致する所定の番号であってもいいし、また、予めに設定した「賞」文字と一致する所定の文字であってもいいし、そして、所定の画像や写真、商標或いは図柄であってもよい。
【０００３】
隠し画像を有する基体を形成するには、様々な方法がある。全ての技術理論は、画像が隠されたゲームカードを形成するには、適用できる。例えば、基体上のあるタイプの隠し画像は、所定の化学溶剤が塗布されると、表示される。また、基体に含有されるあるタイプの隠し画像は、基体に対して人造光や自然光を照射すると、画像その自身が反応することにより、表示される。
【０００４】
電子表示装置に適用する、画像が隠されるゲームカードを設計するには、カラーフィルタ技術以外の方式が必要される。カラーフィルタは、周りの要らない色光を濾過した天然光や人造光をゲームカードに照射することができ、また、周りの光を濾過することでなく、ある所定の色光をゲームカードに照射することも出来る。ゲームカードを使用開始する時、必要とする「起動」光は、ゲームカードを、稼働中のモニタースクリーンの所定色領域や正確な周波数を有する色光を発射できる装置に曝すことにより、得られる。これにより、ゲームカードに所定のタイプの色光が照射されて、隠された画像が表示される。
【０００５】
従来の、起動光によって使用開始される隠し画像を印刷したゲームカードは、今において、比較的に実用的ではない。また、起動光によって使用開始される隠し画像が含有されるゲームカードは、コンピュータモニターや他の輝度が比較的に低い起動光の装置に適用される場合、インキの密度を狭い範囲内に制御しなければならない。密度が高すぎると、隠し画像を表示するための必要とする起動光が遮断される。密度が低すぎると、隠された画像と隠したい画像とが、認識しにくくなる。
【０００６】
一般の人によく分かっているけずりすは、まず、紙カードに隠し領域を印刷してから、隠し領域の上にけずり層をコートし、当籤調べの時、当該けずり層を外力でけずると、当該隠し領域上の数字や図柄或いは絵が表示され、これにより、当籤調べの効果が得られる。しかし、当該けずり層は、隠し領域の外部に付着するだけであるため、何かに触れるとけずられ、秘密性や興味性の良くない状態になり、一般の従来の技術は、実用上、改善しなければならない。
【考案の開示】
【考案が解決しようとする課題】
【０００７】
本考案の主な目的は、従来技術であるけずり層が隠し領域の外部に付着するだけであるため、何かに触れるとけずられる問題を解消でき、ユーザーが携帯電話や無線装置或いはパソコンで当籤調べを行え、秘密性と興味性が高い当籤調べ装置を提供する。
【課題を解決するための手段】
【０００８】
データ信号を送信するユーザ端末と、ユーザ端末のデータ信号内容を受信して判別する中央処理センターモジュールと、ユーザ端末に対応し、当該暗号化画像ファイルを復号化してとする文字や図柄を析出する復号化ユニットとが含有され、そして、携帯電話や無線装置或いはコンピュータを使用する時、必要に応じて、更に、中央処理センターモジュールにより判別されたデータ信号内容に従って、必要とする暗号化画像ファイルをユーザ端末へ送信するファイル権利管理モジュールが設けられても良い。これにより、ユーザーが、携帯電話或いはパソコンで当籤調べを行うことができるため、秘密性と興味性がある。
【考案を実施するための最良の形態】
【０００９】
図１は、本考案の第１の実施例の使用状態の流れの概念図である。図のように、本考案は、ユーザ端末１と、中央処理センターモジュール２と、ファイル権利管理モジュール３と、復号化ユニット４とから構成され、ユーザーが携帯電話やパソコンでゲームカードの当籤調べを行い、秘密性と興味性が高い当籤調べ装置である。
【００１０】
上記のユーザ端末１は、データ信号を送信し、当該ユーザ端末は、携帯電話と、携帯電話に付属する音声サービスシステム１１とを示し、
当該中央処理センターモジュール２は、上記のユーザ端末１のデータ信号内容を受信して判別し、自動判別により当籤調べの復号化シートや暗号化図或いは暗号化図を自動的に復号化するための情報を送信し、
当該ファイル権利管理モジュール３は、上記の中央処理センターモジュール２で判別したデータ信号内容に従って、権限管理が加えられた当該データ信号内容をユーザ端末１へ送信し、
当該復号化ユニット４は、ユーザ端末１に対応し、当該暗号化画像ファイルを復号化し、必要とする文字や図柄を取得する。
【００１１】
使用する時、ユーザーが、携帯電話であるユーザ端末１で略号（例えば、７７７や８８８である）をダイヤルし、中央処理センターモジュール２が、移動運算ユニット１２と音声サービスシステム１１を介して受信してソース需要を判断し、復号化シートや暗号化図或いは暗号化図自動復号化の方式で、ファイル権利管理モジュール３と移動運算ユニット１２とを介して、暗号化画像ファイルをユーザ端末１へ出力し、当該中央処理センターモジュール２によって暗号化図の方式と判断する時、更に、権限管理を有する画像ファイルを、ユーザ端末１へ送信し、復号化ユニット４で、ユーザ端末１に対応して、当該暗号化画像ファイルを復号化して、必要とする文字や図柄を取得し、また、当該復号化ユニット４が、復号化原色を有するカードであり、また、当該中央処理センターモジュール２が復号化シート式である場合、まず、暗号化画像ファイルを、復号化ユニット４の上に作成し、そして、暗号化画像ファイルをマッピングする原色を、ユーザ端末１へ送信し、これにより、ユーザ端末１により、当該復号化ユニット４上の対応する暗号化画像ファイルを復号化し、必要とする文字や図柄を取得し、また、当該復号化ユニット４が、暗号化画像ファイルを有するカードである。
【００１２】
図２は、本考案の第２の実施例の使用状態の流れの概念図である。図のように、本考案において、携帯電話の他に、当該ユーザ端末１aがコンピュータウェブサイトであってもいいし、ユーザーが、コンピュータ１３でウェブサイト上にあるウェブページ１４にログオンし、メーカコードや顧客データ或いは携帯電話番号等のデータを残して、データ信号を中央処理センターモジュール２へ送信し、また、中央処理センターモジュール２が、復号化シートや暗号化図或いは暗号化図自動復号化の方式を判断し、ファイル権利管理モジュール３と電信会社１５を介して、権限管理を有する画像ファイルを、ユーザーの携帯電話であるユーザ端末１へ出力し、当該中央処理センターモジュール２が暗号化図方式と判断する時、更に、暗号化画像ファイルをユーザ端末１へ送信し、復号化ユニット４で、ユーザ端末１に対応して、当該暗号化画像ファイルを復号化して、必要とする文字や図柄を取得し、また、当該復号化ユニット４が復号化原色を有するカードであり、また、当該中央処理センターモジュール２が復号化シート方式である場合、まず、暗号化画像ファイルを、復号化ユニット４の上に作成し、そして、暗号化画像ファイルをマッピングする原色を、ユーザ端末１へ送信し、これにより、ユーザ端末１により、当該復号化ユニット４上の対応する暗号化画像ファイルを復号化し、必要とする文字や図柄を取得し、また、当該復号化ユニット４が、暗号化画像ファイルを有するカードである。
【００１３】
図３は、本考案の第３の実施例の使用状態の流れの概念図である。図のように、当該ユーザ端末１bは、PDAや知能型携帯電話及びノートパソコン等の端末であり、WAPやGPRS或いは3G等の無線方式で、電信業者１６と通信標準交換機１７を介して、ネットワークに接続し、データ信号を、ウェブサイト１７を介して、中央処理センターモジュール２へ送信し、また、中央処理センターモジュール２が、暗号化図や復号化シート或いは暗号化図自動復号化方式を判断し、ファイル権利管理モジュール３とウェブサイト１７を介して、暗号化画像ファイルを、ユーザ端末１bへ出力し、当該中央処理センターモジュール２が暗号化図方式と判断する時、更に、権限管理を有する画像ファイルをユーザ端末１bへ送信し、復号化ユニット４で、ユーザ端末１bに対応して、当該暗号化画像ファイルを復号化して、必要とする文字や図柄を取得し、また、当該復号化ユニット４が復号化原色を有するカードであり、また、当該中央処理センターモジュール２が復号化シート方式である場合、まず、暗号化画像ファイルを、復号化ユニット４の上に作成し、そして、暗号化画像ファイルをマッピングする原色を、ユーザ端末１bへ送信し、これにより、ユーザ端末１bにより、当該復号化ユニット４上の対応する暗号化画像ファイルを復号化し、必要とする文字や図柄を取得し、また、当該復号化ユニット４が、暗号化画像ファイルを有するカードである。
【００１４】
図４は、本考案の第４の実施例の使用状態の流れの概念図である。図のように、当該ユーザ端末１cは、携帯電話から送信される便りシステムであり、電信業者１５を介して、データ信号を中央処理センターモジュール２へ送信し、中央処理センターモジュール２で復号化シートや暗号化図或いは暗号化図自動復号化方式を判断し、ファイル権利管理モジュール３を介して、暗号化画像ファイルを、ユーザ端末１cへ出力し、当該中央処理センターモジュール２が暗号化図方式と判断する時、更に、権限管理を有する画像ファイルをユーザ端末１cへ送信し、復号化ユニット４で、ユーザ端末１cに対応して、当該暗号化画像ファイルを復号化して、必要とする文字や図柄を取得し、また、当該復号化ユニット４が復号化原色を有するカードであり、また、当該中央処理センターモジュール２が復号化シート方式である場合、まず、暗号化画像ファイルを、復号化ユニット４の上に作成し、そして、暗号化画像ファイルをマッピングする原色を、ユーザ端末１cへ送信し、これにより、ユーザ端末１cにより、当該復号化ユニット４上の対応する暗号化画像ファイルを復号化し、必要とする文字や図柄を取得し、また、当該復号化ユニット４が、暗号化画像ファイルを有するカードである。
【００１５】
図５は、本考案の第５の実施例の使用状態の流れの概念図である。図のように、本考案は、コンピュータに適用される場合、パソコンであるユーザ端末５からエントリーユニット６にログオンし、ユーザーが、当該エントリーユニット６を介して、ユーザ端末１からウェブサイト７にログオンしてから、データ信号を、ウェブサイト７上の当籤調べウェブページ７１へ送信し、当該ウェブサイトが、サービスを提供する機構自身のウェブサイトであり、そして、中央処理センターモジュール８が上記のユーザ端末５のデータ信号内容を受信してい判別し、判別したデータ信号内容に従って、必要とする暗号化画像ファイル７２を、ユーザ端末がログオンしたウェブサイト７へ送信し、当該中央処理センターモジュール８が判別した復号化シートや暗号化図或いは暗号化図自動復号化方式で、更に、暗号化画像ファイルを、ユーザ端末５がログオンしたウェブサイト７へ送信し、復号化ユニット９により、ウェブサイト７上の暗号化画像ファイル７２が表示され、必要とする文字や図柄を取得し、また、当該復号化ユニット９が復号化原色を有するカードであり、また、当該復号化ユニット９が、暗号化画像ファイルを有するカードでもよい。
【００１６】
中央処理センターモジュール８が、暗号化図方式で、暗号化画像ファイル７２を、ユーザ端末５がログオンしたウェブサイト７へ送信し、復号化ユニット９で、ウェブサイト７上の対応する当該暗号化画像ファイル７２を復号化して、必要とする文字や図柄を取得し、
中央処理センターモジュール８が、復号化シート方式で暗号化画像ファイル７２を送信する時、まず、暗号化画像ファイル７２を、復号化ユニット９の上に作成し、そして、暗号化画像ファイル７２をマッピングする原色を、ユーザ端末５がログオンしたウェブサイト７へ送信し、これにより、ウェブサイト７により、当該復号化ユニット９上の対応する暗号化画像ファイル７２を復号化し、必要とする文字や図柄を取得し、
中央処理センターモジュール８が暗号化図自動復号化方式で暗号化画像ファイル７２を送信する時、暗号化画像ファイル７２と原色とを、ユーザ端末５がログオンしたウェブサイト７の上に作成し、中央処理センターモジュール８が、判別したデータ信号内容に従って、必要とする暗号化画像ファイル７２と復号化ユニット９を、ユーザ端末５がログオンしたウェブサイト７へ送信し、これにより、ユーザ端末５に、取得した文字や図柄が表示される。
【００１７】
図６は、本考案の第６の実施例の使用状態の流れの概念図である。図のように、本考案の当該ウェブサイト７aが、代行アプリケーションソフトウェアシステムであってもいいし、當ユーザ端末５がエントリーユニット６にログオンすると、当該エントリーユニット６を介して、ユーザーが、ユーザ端末１によりウェブサイト７aにログオンしてから、データ信号を、ウェブサイト７a上の当籤調べウェブページ７１aへ送信し、そして、中央処理センターモジュール８が、上記のユーザ端末５のデータ信号内容を受信して判別し、判別したデータ信号内容に従って、必要とする暗号化画像ファイル７２aを、ユーザ端末がログオンしたウェブサイト７aへ送信し、当該中央処理センターモジュール８が、判別して、暗号化図や復号化シート或いは暗号化図自動復号化方式で、暗号化画像ファイルを、ユーザ端末５がログオンしたウェブサイト７aへ送信し、また、復号化ユニット９で、ウェブサイト７aの上の暗号化画像ファイル７２aを表示して、必要とする文字や図柄を取得し、また、当該復号化ユニット９が復号化原色を有するカードであり、また、当該復号化ユニット９が、暗号化画像ファイルを有するカードでもよい。
【００１８】
中央処理センターモジュール８が、暗号化図方式で暗号化画像ファイル７２aを、ユーザ端末５がログオンしたウェブサイト７aへ送信し、復号化ユニット９で、ウェブサイト７aに対応する当該暗号化画像ファイル７２aを復号化して、必要とする文字や図柄を取得し、
中央処理センターモジュール８が、復号化シート方式で暗号化画像ファイル７２aを送信する時、まず、暗号化画像ファイル７２aを、復号化ユニット９に作成し、暗号化画像ファイル７２をマッピングする原色を、ユーザ端末５がログオンしたウェブサイト７aへ送信し、これにより、ウェブサイト７aにより、当該復号化ユニット９上の対応する暗号化画像ファイル７２aを復号化して、必要とする文字や図柄を取得し、
中央処理センターモジュール８が、暗号化図自動復号化方式で暗号化画像ファイル７２aを送信する時、暗号化画像ファイル７２aと原色とを、ユーザ端末５がログオンしたウェブサイト７aに作成し、中央処理センターモジュール８が、判別したデータ信号内容に従って、必要とする暗号化画像ファイル７２aと復号化ユニット９を、ユーザ端末５がログオンしたウェブサイト７aへ送信し、これにより、ユーザ端末５に、取得した文字や図柄が表示される。
【００１９】
図７は、本考案の第７の実施例の使用状態の流れの概念図である。図のように、当該エントリーユニット６aが、MSNやICQ、Skyps或いはオンライン発注等の即時通信ソフトウェアであり、使用する時、殆ど、第５、６の実施例と同じであり、異なるのは、当該エントリーユニット６aである。
【００２０】
以上のように、本考案に係わる当籤調べ装置は、ユーザーがゲームカードで当籤調べを行うことができ、秘密性と興味性とが高い効果が得られ、そのため、本考案は、より進歩的且つ実用的であり、また、ユーザーを満足できるため、法に従って出願する。
【００２１】
以上は、ただ本考案のより良い実施例であり、本考案の実用新案登録請求の範囲は、それによって制限されず、本考案の実用新案登録請求の範囲や明細書内容に従って等価の変更や修正は、全てが、本考案の実用新案登録請求の範囲に含まれる。
【図面の簡単な説明】
【００２２】
【図１】本考案の第１の実施例の使用状態の流れの概念図
【図２】本考案の第２の実施例の使用状態の流れの概念図
【図３】本考案の第３の実施例の使用状態の流れの概念図
【図４】本考案の第４の実施例の使用状態の流れの概念図
【図５】本考案の第５の実施例の使用状態の流れの概念図
【図６】本考案の第６の実施例の使用状態の流れの概念図
【図７】本考案の第７の実施例の使用状態の流れの概念図
【符号の説明】
【００２３】
１、１a、１b、１c         ユーザ端末
１１                    音声サービスシステム
１２                    移動運算ユニット
１３                    コンピュータ
１４                    ウェブページ
１５                    電信会社
１６                    電信業者
１７                    通信標準交換機
２                      中央処理センターモジュール
３                      ファイル権利管理モジュール
４                      復号化ユニット
５                      ユーザ端末
６、６a                 エントリーユニット
７、７a                 ウェブサイト
７１、７１a               当籤調べウェブページ
７２、７２a               暗号化画像ファイル
８                      中央処理センターモジュール
９                      復号化ユニット
【図１】
0003126326.tif 000003
【図２】
0003126326.tif 000004
【図３】
0003126326.tif 000005
【図４】
0003126326.tif 000006
【図５】
0003126326.tif 000007
【図６】
0003126326.tif 000008
【図７】
0003126326.tif 000009